(57)【特許請求の範囲】
【請求項１】
自動車の連続可変変速機に使用される少なくとも２つの区別できるタイプの複数の駆動ベルト（７）をそれぞれ製造するための方法であって、
それぞれのベルトタイプが互いに異なる半径方向厚さを有する無端引張り手段（１６）を備え、
前記無端引張り手段（１６）がそれぞれのベルト（７）の横方向エレメント（１５）の切欠き（２０）内に収容され、
前記横方向エレメント（１５）が前記無端引張り手段（１６）の周に沿って列を形成するような数を有し、前記無端引張り手段（１６）上に滑動可能に配置され、
各前記切欠き（２０）の高さが、各前記横方向エレメント（１５）の底部分（２１）と頂部分（２２）の間で前記無端引張り手段（１６）に対して半径方向に定められている、方法において、
前記ベルトタイプが、互いに一致する前記切欠き（２０）の高さを有する前記横方向エレメント（１５）で製造され、
前記横方向エレメント（１５）の前記無端引張り手段（１６）に対する前記無端引張り手段の長手方向回りの回転を制限するための回転制限手段（３０）が、２つの区別できるタイプの駆動ベルト（７）の内の少なくとも１つのタイプの駆動ベルト（７）に組み込まれ、前記１つのタイプの駆動ベルトが、他の１つのタイプの駆動ベルト（７）の無端引張り手段（１６）の厚さよりも小さな厚さの無端引張り手段（１６）を備えている、
ことを特徴とする方法。
【請求項２】
前記回転制限手段（３０）が前記回転を、１°以下に制限する、ことを特徴とする請求項１に記載の方法。
【請求項３】
前記１つのタイプの駆動ベルト（７）の前記回転制限手段（３０）が、
各前記無端引張り手段（１６（ｂ））の半径方向内側または外側で前記横方向エレメント（１５）の前記切欠き（２０（ｂ））内に設けられた、少なくとも長手方向に曲げることができる充填リング（３０（ａ））からなる手段（３０（ａ））と、
軸方向において前記無端引張り手段（１６（ｂ））と前記エレメント（１５）の各柱部分（２３）の間に挟まれて前記横方向エレメント（１５）の切欠き（２０（ｂ））内に設けられた、少なくとも長手方向に曲げることができるロックリング（３０（ｂ））からなる手段（３０（ｂ））と、
ここにおいて前記柱部分は、各前記エレメント（１５）の前記底部分（２１）と前記頂部分（２２）を連結しており、
前記無端引張り手段（１６（ｂ））と各前記エレメント（１５）の前記柱部分（２１）の間に比較的に狭い軸方向隙間を有するように製造されるベルト（７）からなる手段（３０（ｃ））と、
ここにおいて前記柱部分（２３）は、各前記エレメント（１５）の前記底部分（２１）と前記頂部分（２２）を連結しており、
前記エレメント（１５）の前側主面（２５）から前記ベルト（７）の長手方向に突出する突起（２６）と、前記エレメント（１５）の後側主面に設けた穴（２７）を組み込んだ各前記横方向エレメント（１５）からなる手段（３０（ｄ））と、
ここにおいて前記エレメント（１５）の前記突起（２６）は、それぞれ隣接する前記エレメント（１５）の前記穴（２７）に係合し、前記突起（２６）と前記穴（２７）が長手方向に見たとき非円形の輪郭（３０（ｄ））を有し、
前記エレメント（１５）の前記前側主面（２５）に設けた２個の前記突起（２６（ａ），２６（ｂ））と、前記エレメント（１５）の前記後側主面に設けた２つの前記穴を組み込んだ各前記横方向エレメント（１５）からなる手段（３０（ｅ））と、
ここにおいて前記突起（２６（ａ），２６（ｂ））は、それぞれ隣接する前記エレメント（１５）に付随する前記穴に係合し、
クリップ（３０（ｅ））を備えた前記ベルト（７）からなる手段（３０（ｆ））と、
ここにおいて前記クリップは、少なくとも１個の前記横方向エレメント（１５）の前記頂部分（２２）を取り囲み、
前記クリップが軸方向に延びるフック部分（３１）を備え、
前記フック部分が前記頂部分（２２）と前記無端引張り手段（１６（ｂ））の間で挟まれて前記エレメント（１５）の前記切欠き（２０（ｂ））内へ延び、
張力をかけていない状態の前記無端引張り手段（１６（ｂ））の周方向長さよりも大きな、前記横方向エレメント（１５）の連続した列の合計長手方向寸法によって、前記無端引張り手段（１６（ｂ））に予め張力をかけた状態で製造されるベルト（７）からなる手段と、
からなる手段の組の内、少なくとも１つの手段を備えている、ことを特徴とする請求項１または２に記載の方法。
【請求項４】
タイプの違いが識別できる前記駆動ベルト（７）のすべてが、各タイプの前記駆動ベルト（７）の長手方向に向いた断面で見たとき、互いに一致する外側輪郭を有する前記横方向エレメント（１５）から製造される、ことを特徴とする請求項１〜３のいずれか一項に記載の方法。
【請求項５】
前記駆動ベルト（７）の複数のタイプが製造される前記横方向エレメント（１５）の少なくとも大部分が同一である、ことを特徴とする請求項１〜４のいずれか一項に記載の方法。
【請求項６】
前記無端引張り手段（１６）が半径方向に積層された平らな金属リング（１７）の少なくとも一つのセット（１６（ａ），１６（ｂ））からなり、製造される各タイプの前記駆動ベルト（７）が、少なくとも１つのセット（１６（ａ），１６（ｂ））で使用される前記リング（１７）の数によって区別可能である、ことを特徴とする請求項１〜５のいずれか一項に記載の方法。
【請求項７】
各タイプの前記駆動ベルト（７）の前記リング（１７）が同じ厚さを有する、ことを特徴とする請求項６に記載の方法。
【請求項８】
各タイプの前記駆動ベルト（７）が公称トルク容量について異なる仕様を有し、前記仕様が各タイプの前記駆動ベルト（７）でそれぞれ使用される前記無端引張り手段（１６）の厚さに関連して画定される、ことを特徴とする請求項１〜７のいずれか一項に記載の方法。
【請求項９】
請求項１〜８のいずれか一つに記載の方法に従って製造される、少なくとも２つのタイプの前記駆動ベルト（７）の混成物。
【発明の詳細な説明】
【技術分野】
【０００１】
本発明は、請求項１の前提部分に記載した区別可能なタイプの駆動ベルトの製造方法に関する。本発明は更に、このような駆動ベルトタイプの混成物に関する。駆動ベルト自体は例えば特許文献１によって周知であり、特に自動車のための無段変速機、すなわちＣＶＴで使用される。
【背景技術】
【０００２】
公知の駆動ベルトは、一次軸上に設けられた一次可変プーリと、二次軸上に設けられた二次可変プーリとを備えたタイプのＣＶＴにおいて駆動ベルトとして使用するのに適している。無端引張り手段と複数の横方向エレメントからなる駆動ベルトは、エンジン動力をプーリ間で伝達するために前記プーリの周りに巻掛けられている。この横方向エレメントは引張り手段上に滑動可能に、すなわち引張り手段の周に沿って長手方向に移動可能に配置されている。各可変プーリは２個の円錐ディスクからなっている。一方では各プーリのディスク間における駆動ベルトの回転半径を変更するため、他方ではベルトに挟圧力を加えるために、少なくとも一方の円錐ディスクが他方のディスクに対して軸方向に移動可能である。
【０００３】
公知の駆動ベルトにおいて、無端引張り手段は横方向エレメントの側方に延びる切欠き内に配置されている。この切欠きは各エレメントの頂部分と底部分と柱部分の間に形成され、頂部分と底部分は前記手段の半径方向の動きを制限し、柱部分は頂部分と底部分を連結し、前記手段の軸方向の動きを制限する。底部分は実質的に台形であり、台形の大きい方の幅はエレメントの幅を決定する。底部分の横方向の側面、すなわち軸方向側面は傾斜し、或る角度、いわゆるベルト角度で向きあっている。この側面は円錐プーリディスクに摩擦接触するように設計されている。横方向エレメントはそれぞれ、エレメントの厚さにわたって側面によって分離された前側主面と後側主面を備えている。
【０００４】
一般的に、一定の寿命の間変速機で確実に機能し得るようにするために、特定のタイプの駆動ベルトが設計され、仕様を定められている。この変速機は一定の最大出力を有するエンジンと組み合わせて使用される。あるいは、更に正確には、駆動ベルトの出力容量はエンジンマップについて、すなわちエンジン回転速度に対するエンジンによって発生される最大トルクについて、仕様を定めることが可能である。しかしながら、明確化のため、以下では特定の駆動ベルトタイプの仕様は、それが設計されたエンジンの最大トルク、例えば１５０Ｎｍ（ニュートンメートル）についてのみ定められる。変速機の作動中公称トルク容量についてのベルト仕様を上回ると、駆動ベルトの寿命が非常に短くなるか、または直ちに機能しなくなる。
【０００５】
駆動ベルトのトルク容量を決定するための重要な設計要素は、作動中無端引張り手段で生じる引張り応力レベルである。この引張り応力レベルは無端引張り手段の疲労負荷を示す。各プーリでそのディスクとベルトの各回転半径の間に保持された横方向エレメントの前記傾斜側面に加えられる挟圧力のレベルは、各プーリとベルトの間で摩擦によって伝達可能なトルク量を決定する。更に、各プーリで挟圧力を加えることにより、横方向エレメントは両プーリで半径方向外側に付勢される。それによって、無端引張り手段はかなり大きな引張り応力を受ける。無端引張り手段が変速機内の部分的に曲がっていて部分的に真っ直ぐである軌道に沿って移動するので、無端引張り手段に曲げ応力が発生する。そのため、公知の無端引張り手段は積層されている。すなわち、半径方向に入れ子式に重ねられた複数の平らな金属リングまたは帯からなっている。このリングまたは帯はこのような曲げ応力レベルを制限するため比較的に薄い。
【０００６】
上述の引張り応力と曲げ応力は、作動中ベルトがプーリの周りを回転するときに周期的に変化する。それ故、一般的に、無端引張り手段の金属疲労が最終的に駆動ベルトの動作寿命を制限する。もちろん、無端引張り手段の応力レベルとベルトの公称トルク容量が無端引張り手段の断面面積に関連していることはよく知られている。従って、駆動ベルトの寿命の設計すなわち設定、すなわちＣＶＴの自動車用途の広い範囲において存在するそれぞれのトルク要求に対してベルト設計を効果的に適合させるため、の主要な手段は、無端引張り手段の軸方向幅および／または半径方向高さまたは厚さを増大させることによって、無端引張り手段の断面面積を増大させることである。この設計の特徴は本出願人の出願である特許文献２に詳細に説明されている。
【０００７】
無端引張り手段の軸方向幅に関連して述べると、横方向エレメントの柱部分で軸方向に互いに離隔されて半径方向に入れ子式に重ねられたリングの２つのセットによって無端引張り手段を構成することが一般的な方法である。しかしながら、最終的にこのような幅は、容易にまたは低コストで変更できない変速機設計の特徴、によって制限される。無端引張り手段の厚さに関連して述べると、このような各セットで使用されるリングの数を適合さることが一般的な方法である。この適合は変速機全体設計の変更と比べて容易にかつ低コストで行うことができるが、新しい厚さの無端引張り手段、すなわち変更された数のリングを収容するために、横方向エレメントの設計を適合させる必要がある。特に、横方向エレメントの頂部分と底部分の間に形成された切欠きの半径方向の高さを適合させる必要がある。なぜなら、一般的に、無端引張り手段と横方向エレメントの頂部分との間は比較的に狭い半径方向隙間しか許容されないからである。それによって、無端引張り手段に対する横方向エレメントの長手方向の軸線回りの回転が制限される。この設計要求と、駆動ベルト耐久性に対するそのプラスの作用は、本出願人の出願である特許文献３に詳細に説明されている。
【０００８】
更に、製造において、幾つかの区別可能なトルク容量のベルトの組、すなわち駆動ベルトのタイプは、各々の特定のベルト設計に工具を適合させる必要があり、従って異なるタイプのベルトの生産工程の間に工具を変更する必要がある、という欠点がある。更に、製造機械および製造工具は、効率悪く使用される恐れがあり、異なる製品タイプの間で部品の混在のような製造ミスの危険と、これを避けるコストが、製造されるベルトの組数と共に増大する。
【０００９】
従って、このような新しいタイプの特定のＣＶＴの用途の事前に既知の数が充分に大きい場合にのみ、区別可能な新しいトルク容量を有する新しいベルトタイプを開発および製造が経済的に収益性があるかまたは実現可能である。
【００１０】
現在、出願人は自動車設計において実施される広いトルクレベルの必要性をカバーするために、異なるトルク容量を有する４つのタイプの駆動ベルトを商品化した。２４ｍｍまたは３０ｍｍの公称幅を有するベルトが製造される。それによって、このようなベルト幅の各々について、無端引張り手段は半径方向に入れ子式に重ねられた９個または１２個のリングの２つのセットから構成されている。市場をカバーする現在の実際的で経済的な方法の欠点は、駆動ベルトの寸法が過大であることである。すなわち、ベルトの特定のＣＶＴ用途の観点から、トルク容量が大きすぎることである。例えば上記の実際に基づく例において、区別可能なトルク容量を有する４タイプの駆動ベルトを、７５Ｎｍから４００Ｎｍ以上までの広いエンジントルクレベル範囲をカバーするために使用することができる。
【特許文献１】ＥＰ−Ａ−０．５５２．６１２
【特許文献２】ＥＰ−Ａ−１．０８９．０１３
【特許文献３】ＥＰ−Ａ−０．６２６．５２６―Ｂ１
【発明の開示】
【００１１】
そこで、本発明は、駆動ベルトの特定のＣＶＴ用途の要求を一層正確に満たすために、区別可能なトルク容量を有するより多くのタイプの駆動ベルトが経済的に実行可能な方法で入手できるようにし、一方で同時にその耐久性と一般的に受け入れられる寿命を維持するために、区別可能な仕様を有するベルトの組を開発および／または製造するための付加的なコストを低減することを目的とする。これによって、異なるトルク要求を有する多数の用途にわたって少なくとも平均して、ＣＶＴのコストを低減することができる。
【００１２】
本発明によれば、このような目的は、請求項１の特徴部分に記載した手段を組み込んだ製造方法によって達成可能である。この手段によって、少なくとも２つのタイプの駆動ベルトの混成物を製造することができ、各タイプは異なるトルク容量を有し、トルク容量は無端引張り手段の厚さによって、例えば半径方向に積層されたリングの数によって決定される。各無端引張り手段を受け入れるための横方向エレメントの頂部分と底部分の間の切欠きの高さは、混成物内の両タイプの駆動ベルトにとって同一である。更に、本発明によれば、混成物の少なくとも１つのタイプの駆動ベルトが特別な回転制限手段を備えている。この回転制限手段は無端引張り手段に対し横方向エレメントの長手方向の軸線回りの回転自由度を制限する上記設計要求を満たす。従って、エレメント上側部分と無端引張り手段の間の半径方向隙間が比較的に大きい場合、すなわち無端引張り手段が比較的薄い場合、無端引張り手段に対する横方向エレメントの回転自由度が、付加的な回転制限手段を設けることによって有利に制限され、もしそうでない場合過剰に大きくなる。
【００１３】
本発明による混成物は、その中に含まれる種々のタイプの駆動ベルトを経済的に製作可能であるという利点がある。これは横方向エレメントの設計、すなわち正面から見たときのその外側輪郭と、特に無端引張り手段を受け入れるためのエレメントの切欠きの半径方向高さを、もはや無端引張り手段の厚さに適合させる必要がないからである。従って、原理的には、前記混成物のために１つのエレメント設計で充分である。本発明は、特定のＣＶＴ用途にとって慣用のベルトの寸法が過大になるという特性を克服する。というのは、無端引張り手段の厚さを、個々のＣＶＴ用途に適合させることができるからである。これによってもちろん、かなりの材料コストが節約される。なぜなら、駆動ベルトタイプが混成した無端引張り手段は、平均してリングの数が少なくなるからである。
【００１４】
本発明によれば、回転制限手段は幾つかのケースでそれ自体公知のいろいろな方法で具体化することができる。しかしながら驚くべきことに、それ自体公知である手段は、それぞれ区別可能なトルク容量を有する駆動ベルトタイプの混成物を有利に製造するという目的を達成するためには、決して適用されない。
【００１５】
（図面の簡単な説明）
添付の図を参照して本発明を説明する。
図１は、駆動ベルトとプーリを備えた無段変速機を概略的に示す図である。
図２は図１の無段変速機の簡略化した断面図である。
図３〜８はそれぞれ、本発明に従って製作された、混成物の２つの識別可能なタイプの駆動ベルトを長手方向にむいた断面図でそれぞれ半分の部分を示す図である。
【発明を実施するための最良の形態】
【００１６】
図１は自動車のエンジンＭと負荷Ｌの間で速度比とトルク比を変えるための、エンジンと負荷の間に配置された無段変速機１の概略断面図である。変速機１は通常はエンジンＭによって駆動される一次軸２と、通常は負荷Ｌを駆動する二次軸８を備えている。一次軸２には一次プーリ３，４が設けられている。この一次プーリは軸方向において固定されたディスク３と軸方向に移動可能なディスク４を備えている。二次軸８には二次プーリ９，１０が設けられている。この二次プーリは同様に、軸方向において固定されたディスク９と軸方向に移動可能なディスク１０を備えている。一次プーリ３，４の可動ディスク４は各移動手段５，６，１３によって操作される。この移動手段は例えばアクセルペダル踏み込み量αや二次軸８の回転速度Ｎｓのような多数のパラメータに基づいて一次シリンダ室５内の圧力を制御する。同様に、二次プーリ９，１０の可動ディスク１０は各移動手段１１，１２，１４によって操作される。この移動手段は例えばエンジンスロットルバルブ開度β、エンジンＭの回転速度Ｎｍ、一次軸２の回転速度Ｎｐおよび二次軸８の回転速度Ｎｓのような多数のパラメータに基づいて二次シリンダ室１１内の圧力を制御する。いわゆる駆動ベルトのタイプの駆動ベルト７は前記プーリの周りに設けられ、前記軸２，３の間で機械的（エンジン）動力を伝達するためにプーリの各ディスク３，４；９，１０の間で摩擦しながら挟圧される。これにより、前記一次圧力および二次圧力のレベルは、ベルト７を挟圧する力を決定し、従って前記軸２と３の間で駆動ベルト７によって伝達可能なトルクの最大値を決定する。
【００１７】
図２は無段変速機１の概略側面図である。駆動ベルト７は無端の引張り手段１６と、複数の横方向エレメント１５からなっている。この横方向エレメントは引張り手段１６上に滑動可能に、すなわち長手方向に移動可能に配置され、引張り手段によって支持されている。矢印Ｒｓは二次プーリ９，１０の間における駆動ベルト７の回転半径を示し、矢印Ｒｐは一次プーリ３，４の間における駆動ベルトの回転半径を示している。この回転半径ＲｓとＲｐの比は無段変速機１の速度比を決定する。
【００１８】
駆動ベルト７の一例を、ベルト７を周方向に見た図３の断面図に詳細に示す。横方向エレメント１５は２つの切欠き２０を有し、この切欠きの開口はそれぞれ軸方向で反対の方へ向いている。この切欠き２０は半径方向において、エレメント１５の頂部分２１と底部分２２によって画成されている。エレメント１５の柱部分２３が軸方向において切欠き２０の間に配置されている。この柱部分２３は底部分２２と頂部分２１を連結している。ベルト７の無端引張り手段１６は本例では半径方向に積層された、すなわち入れ子式に重ねられた平らな金属リング１７の２つのセット１６（ａ），１６（ｂ）からなっている。この無端引張り手段はエレメント１５に収容され、各セット１６（ａ），１６（ｂ）はエレメントの各切欠き２０（ａ），２０（ｂ）に挿入されている。
【００１９】
底部分２２の横方向側部、すなわち軸方向の側部２４は傾斜している。すなわち、プーリ３，４；９，１０の円錐形のプーリディスク３，４の間の角度にほぼ一致する角度で互いに対向している。それによって、これらの側部２４は各ディスク３，４に摩擦接触することができる。横方向エレメント１５は前側の主面２５と後側の主面（見えない）を備えている。この両主面は上記の底部分２２の軸方向側部２４を含む側面により、エレメント１５の厚さにわたって分離されている。横方向エレメント１５の頂部分２１は前側の主面２５からベルト７の長手方向すなわち周方向に突出する突起２６を備えている。突起２６は相互作用する。すなわち、横方向エレメント１５、正確にはベルト７内の隣のエレメント１５の後側の主面に設けた対応する穴（見えない）に係合している。これにより、ベルト７の長手方向に対して垂直な平面内での、隣接する横方向エレメント１５の相互の滑り運動が制限される。横方向エレメント１５は突起２６の中心にある縦軸線回りに相対的に回転することができるが、このような回転は駆動ベルト７の設計において耐久性のために制限しなければならない。図３の左側に示すように、この設計要求は通常、無端の引張り手段１６と横方向エレメント１５の頂部分２１との間に、半径方向に比較的狭く画定された隙間が存在することにより実現される。従って、エレメント１５の前記回転の自由度は、図示のように頭部分２１と底部分２２の両方によって無端引張り手段１５に係合する程度に制限される。これにより、無端引張り手段に対する、横方向エレメントの長手方向軸線回りの回転が制限される。
【００２０】
変速機１の作動中、プーリ３，４；９，１０によって挟圧力が駆動ベルト７に加えられ、横方向エレメント１５の各底部分２２が無端引張り手段１６に係合するまで、横方向エレメントが半径方向外側へ付勢される。それによって、無端引張り手段１６が引っ張られる。一次プーリ３，４が回転駆動されると、それと摩擦接触している横方向エレメント１５が回転し、駆動ベルト７の他のエレメント１５を前方へ押し、二次プーリ９，１０を回転駆動する。これにより、横方向エレメント１５は無端引張り手段１６によって案内される。
【００２１】
無端引張り手段１６内の（引張りおよび曲げ）応力レベルは最終的に、駆動ベルト７の特定の動力またはトルク容量を決定する。従って、この特定の動力またはトルク容量は変更可能である。すなわち、無端引張り手段１６の軸方向幅およびまたは半径方向高さまたは厚さを変更することによって、特定のＣＶＴ用途に適合させられる。しかしながら、このような変更は共に一般的に、横方向エレメント１５の設計の変更を必要とする。この設計の変更は、それぞれ、無端引張り手段１６の幅方向の係合のためにその底部分２２の幅を増大させること、あるいは、無端引張り手段１６を狭い幅で収容するため、即ち、前記手段１６とエレメント１５の頂部分２１との間に比較的小さな半径方向隙間を形成するため、切欠き２０（ａ），２０（ｂ）の半径方向高さを増大させることである。
【００２２】
本発明は公知の設計の駆動ベルト７の上記欠点を克服し、区別可能な仕様のベルトの組を開発および/または製作するコストを低減することを目的とする。本発明によれば、この目的は、駆動ベルト７が横方向エレメント１５を備え、この横方向エレメントの切欠き２０が、区別可能な厚さまたは重ねられたリング１７の数によって特徴づけられた広範囲の無端引張り手段１６を収容できるような比較的大きな半径方向寸法または高さを有することによって達成される。本発明は、無端引張り手段１６の個々のリング１７が適切な周方向長さで比較的簡単にかつ比較的少ない追加コストで多数または少数製造可能であるという認識から出発している。
【００２３】
従って、横方向エレメント１５の一つの設計バージョンを、互いに異なるトルク容量を有する広範囲のまたは混成物の駆動ベルトタイプに適用することができる。本発明によれば、横方向エレメント１５の制限された回転自由度の上述の設計要求は、付加的な回転制限手段３０を設けることによって達成可能である。この回転制限手段は少なくとも、最大トルク容量よりも小さなトルク容量を有するタイプの駆動ベルト７に設けられる。すなわち、横方向エレメント１５の底部分２２と接触するときに、無端引張り手段１６と横方向エレメント１５の頂部分２１の間の半径方向隙間が或る閾値を超えるような混成物の駆動ベルト７タイプに設けられる。好ましくは、このような閾値はＥＰ−Ａ−０．６２６．５２６に従って決定される。すなわち、最大回転自由度が１°以下、好ましくは０．２〜０．８°、更に好ましくは０．５°になるように決定される。
【００２４】
本発明による駆動ベルト７のタイプの混成物は、そこで使用される無端引張り手段１６の異なる厚さによって決定された、区別可能なトルク容量を有する少なくとも２つのタイプからなる。小さなトルク容量を有するタイプのベルト、すなわち、薄い無端引張り手段を有するタイプのベルト、あるいは少ない数のリング１７を組み込んだタイプのベルトは、少なくとも前記の回転制限手段３０を備えている。
【００２５】
図３〜８はそれぞれ２つのタイプの駆動ベルト７のこのような混成物を示している。各図３〜８の左側はどの場合でも、最大トルク容量を有する混成物の第１のタイプの駆動ベルトの左側を示している。最大トルク容量を有することは、横方向エレメント１５の切欠き２０の高さに関して、無端引張り手段１６の各リングセット１６（ａ），１６（ｂ）内の最大数の（すなわち、図示例では６個であるが、実際には１２〜１４個）のリング１７を備えていることを意味する。各図の右側には、小さなトルク容量を有する各混成物の第２のタイプの駆動ベルトの右側が示されている。小さなトルク容量を有することは、無端引張り手段１６の各リングセット１６（ａ），１６（ｂ）内に少ない（すなわち、図示例では４個であるが、実際には６〜１３個の）リング１７を備えていることを意味する。従って、中央の二点鎖線を鏡像線として見做すことにより、図３〜８の左側の図から混成物の第１ベルトタイプの全体を想像することができ、反対に、図３〜８の右側の図から混成物の第２ベルトタイプの全体を想像することができる。
【００２６】
本発明による回転制限手段３０の第１の実施形態３０（ａ）が図３の右側に表示してある。この図３の混成物の第２のベルトタイプは、図３の左側に示した混成物の第１のベルトタイプと比較して、無端引張り手段１６（ｂ）内に数を減少した積層リング１７を備えている。第１のベルトタイプでは、横方向エレメント１５の前記回転自由度が、無端引張り手段１６（ａ）と横方向エレメント１５の頂部分２１との間の比較的に狭い半径方向隙間によって制限され、第２のベルトタイプでは、これは、１個の充填リング３０（ａ）または半径方向に積層した少数の充填リングの形状の回転制限手段３０が追加されて実現される。この充填リングは各無端引張り手段１６の半径方向に位置する横方向エレメント１５の切欠き２０（ｂ）内に設けられている。
【００２７】
本発明によれば、このような充填リング３０（ａ）は、好ましくは適合するゴムのような、比較的に安価で、耐摩耗性があり、取り扱いが容易な材料からなっている。適当な（等級の低い）金属またはプラスチックを使用することができる。もちろん、充填リング３０（ａ）は駆動ベルト（７）の変化する軌道に追従できなければならないので、材料は少なくとも駆動ベルトの周に沿って、すなわち長手方向に曲がることが出来なければならない。充填リング３０（ａ）は負荷支持機能を有しておらず、すなわち作動中引っ張られず、無端引張り手段１６（ｂ）と横方向エレメント１５の頂部分２１との間の半径方向隙間を充填するためにのみ設けられている。この場合、好ましくは、切欠き２０の半径方向高さと、充填リング３０（ａ）の厚さと無端引張り手段１６（ｂ）の厚さの合計との間の差が、前記第１のベルトタイプの構成における所定の半径方向隙間に実質的に一致するように充填される。図３の図示では充填リング３０（ａ）が無端引張り手段１６（ｂ）の半径方向外側に設けられているが、原理的には無端引張り手段の半径方向内側において、無端引張り手段１６（ｂ）と横方向エレメント１５の底部分２２との間に設けることができる。その場合、充填リングは強い引張力を受けないようにするために充分に小さなヤング率を有する材料からなっている。
【００２８】
図４に示す、本発明による回転制限手段３０の第２の実施形態３０（ｂ）では、図４の右側の混成物の第２のベルトタイプは、横方向エレメント１５の切欠き２０（ｂ）の内側において横方向エレメントの柱部分２３と無端引張り手段１６（ｂ）の間に配置されたロックリング３０（ｂ）を備えている。この設計では、横方向エレメント１５の前記回転自由度は比較的に狭い軸方向隙間によって制限される。この軸方向隙間は、各プーリディスク４に接触するときの無端引張り手段１６（ｂ）と、ロックリング３０（ｂ）と、エレメント１５の柱部分２１と、の間に形成される。
【００２９】
本発明による回転制限手段３０の第３の実施形態３０（ｃ）が図５に示される。この場合、前記手段３０（ｃ）は無端引張り手段１６の設計に組み込まれている。この設計は好ましくは混成物の両ベルトタイプに適用される。この設計では、無端引張り手段１６のリング１７の両セット１６（ａ），１６（ｂ）における少なくとも１個のリング１７の軸方向幅が、各プーリディスク４に接触するときの少なくとも１個の前記リング１７と横方向エレメント１５の柱部分２１との間の比較的に狭い軸方向隙間が、横方向エレメント１５の前記回転自由度を所望な程度に制限するのに十分な大きさになるように設計されている。
【００３０】
本発明による回転制限手段３０の第４の実施形態３０（ｄ）を図６に示す。この場合、前記手段３０（ｄ）はエレメント１５の突起２６と穴２７の設計に組み込まれている。この設計は好ましくは混成物の両ベルトタイプに適用される。この設計では、突起２６と関係する穴２７は非円形輪郭を有し、それによって横方向エレメント１５の前記回転自由度が、プーリディスク３，４の間で既に挟圧されて整列している隣接する次のエレメント１５の穴２７の側壁に係合する横方向エレメント１５の突起２６によって所望な程度に制限される。突起２６と穴２７は図６に示すような楕円形の輪郭を有していてもよいが、エレメント１５の半径方向高さ全体または軸方向幅全体に沿って延びる細長い輪郭を有していてもよい。
【００３１】
本発明による回転制限手段３０の第５の実施形態３０（ｅ）を図７に示す。この場合、前記手段３０（ｅ）はエレメント１５の突起２６と穴（見えない）の設計に組み込まれている。この設計は好ましくは混成物の両ベルトタイプに適用される。この設計では、突起２６（ａ），２６（ｂ）のセットと関係する穴が設けられ、それによって横方向エレメント１５の前記回転自由度が、プーリディスク３，４の間で既に挟圧されて整列している、隣接する次のエレメント１５の穴の側部に係合する、横方向エレメント１５の突起２６（ａ），２６（ｂ）によって所望な程度に制限される。この特別な実施形態では、突起２６（ａ），２６（ｂ）と穴は円形輪郭を有していてもよい。
【００３２】
更に、本発明による回転制限手段３０の第６の実施形態３０（ｆ）を図８に示す。この場合、図８の右側における混成物の前記第２ベルトタイプは、その周に沿って１個または複数のクリップ３０（ｆ）を備えている。前記回転自由度の制限に関して、クリップ３０（ｆ）は図３の充填リング３０（ａ）とほぼ同じように機能する。この目的のため、クリップ３０（ｆ）はエレメント１５の頂部分２１を取り囲み、そして頂部分の軸方向両側に、軸方向内側に延びるフック部分３１を備えている。このフック部分は頭部分２１を回って各々の切欠き２０（ｂ）に引っ掛けられ、少なくとも部分的に半径方向隙間を塞ぐ。
【００３３】
更に、クリップ３０（ｆ）はその軸方向両側に、半径方向内側に延びるフランジ部分３２を備えている。このフランジ部分３２は各々のリングセット１６（ｂ）の軸方向の動きを制限する。クリップ３０（ｆ）は駆動ベルトの全周を取り囲むことができるか、または、１個または２−３個の横方向エレメント１５を覆うことができる。後者の場合、所望な作用を達成するために、限定された数のクリップ３０（ｆ）で充分である。クリップ３０（ｆ）は好ましくは少なくともやや弾性的に曲げることが可能な材料によって作られている。
【００３４】
本発明による回転制限手段を組み込むための第７（図示せず）の実施形態について説明する。この実施形態では、駆動ベルトがいわゆる事前引張をかけられた状態で製造され、これは、ベルトに対し、非引張状態で、無端引張り手段の周長よりも大きな合計長手方向寸法を有する横方向エレメントの連続的な多数の列を提供することにより、ベルトが負荷されていない状態でも無端引張り手段を緊張させる。駆動ベルトのこのような設計の場合、押圧力が全周に亘ってエレメントの間に存在する。この押圧力はエレメントの前側と後側の主面に垂直力を加え、それによってプーリディスクの間で既に挟圧されて整列された、隣接するエレメントに対する１つのエレメントの相対的回転が、摩擦によって簡単に防止される。
【００３５】
本発明は、図に基づく上記の説明と、それから当業者が容易にかつはっきりと導き出せるすべての詳細に加えて、特許請求の範囲に関する。
【図面の簡単な説明】
【００３６】
【図１】駆動ベルトとプーリを備えた無段変速機を概略的に示す図である。
【図２】図１の無段変速機の簡略化した断面図である。
【図３】それぞれ、本発明に従って製作された混成物の区別できる２つのタイプの駆動ベルトの長手方向に向いた断面の区別できる２つの半部を示す。
【図４】それぞれ、本発明に従って製作された混成物の区別できる２つのタイプの駆動ベルトの長手方向に向いた断面の区別できる２つの半部を示す。
【図５】それぞれ、本発明に従って製作された混成物の区別できる２つのタイプの駆動ベルトの長手方向に向いた断面の区別できる２つの半部を示す。
【図６】それぞれ、本発明に従って製作された混成物の区別できる２つのタイプの駆動ベルトの長手方向に向いた断面の区別できる２つの半部を示す。
【図７】それぞれ、本発明に従って製作された混成物の区別できる２つのタイプの駆動ベルトの長手方向に向いた断面の区別できる２つの半部を示す。
【図８】それぞれ、本発明に従って製作された混成物の区別できる２つのタイプの駆動ベルトの長手方向に向いた断面の区別できる２つの半部を示す。
【符号の説明】
【００３７】
７…駆動ベルト、１５…横方向エレメント、１６…無端引張り手段、２０…切欠き、２１…底部分、２２…頂部分、２３…柱部分、２６…突起、２７…穴、３０…回転制限手段
【図１】
0004809846.tif 000002
【図２】
0004809846.tif 000003
【図３】
0004809846.tif 000004
【図４】
0004809846.tif 000005
【図５】
0004809846.tif 000006
【図６】
0004809846.tif 000007
【図７】
0004809846.tif 000008
【図８】
0004809846.tif 000009